(57)【要約】  視覚障害を矯正するために角膜実質内に移植されるよう意図されていて、不活性又は生体適合性ポリマ材料から形成されるとともに、３６０°未満の所定の角度伸長（Ａ）を伴う円弧形状を有する要素（２）を備える、角膜実質内挿入物（１）。円弧形状を有する要素（２）が、自身によって規定される面に対して垂直又は概ね垂直な各軸を有していて、有機流体を通過させるのに適した第１の貫通孔（３’）と、自身によって規定される面に対して平行又は概ね平行な各軸を有していて、有機流体を通過させるのに適した第２の貫通孔（３”）と、を備える。第１の貫通孔（３’）が第２の貫通孔（３”）に対して交互に配置されるか、第１の貫通孔（３’）が第２の貫通孔（３”）に連通しているか、又は第１の貫通孔（３’）が第２の貫通孔（３”）に対して交互に配置されるとともに第１の貫通孔（３’）が第２の貫通孔（３”）に連通している。【選択図】図１
2016523677.tif 000002
【特許請求の範囲】
【請求項１】
視覚障害を矯正するために角膜の実質内に移植されるよう意図されていて、不活性又は生体適合性ポリマ材料から形成されるとともに、３６０°未満の所定の角度伸長（Ａ）を伴う円弧形状を有する要素（２）を備える、角膜実質内挿入物（１）であって、
円弧形状を有する前記要素（２）が、円弧形状を有する前記要素（２）によって規定される面に対して垂直又は概ね垂直な各軸を有していて、有機流体を通過させるのに適した第１の貫通孔（３’）と、円弧形状を有する前記要素（２）によって規定される面に対して平行又は概ね平行な各軸を有していて、有機流体を通過させるのに適した第２の貫通孔（３”）と、を備える、角膜実質内挿入物（１）において、
前記第１の貫通孔（３’）が前記第２の貫通孔（３”）に対して交互に配置されるか、前記第１の貫通孔（３’）が前記第２の貫通孔（３”）に連通しているか、又は前記第１の貫通孔（３’）が前記第２の貫通孔（３”）に対して交互に配置されるとともに前記第１の貫通孔（３’）が前記第２の貫通孔（３”）に連通していることを特徴とする角膜実質内挿入物。
【請求項２】
互いに連通する前記第１の貫通孔（３’）及び前記第２の貫通孔（３”）は、円弧形状を有する前記要素（２）の中間部において予見される、請求項１に記載の角膜実質内挿入物。
【請求項３】
互いに連通する前記第１の貫通孔（３’）及び前記第２の貫通孔（３”）は、円弧形状を有する前記要素（２）の伸長全体に沿って予見される、請求項１に記載の角膜実質内挿入物。
【請求項４】
円弧形状を有する前記要素（２）は、第１の端部（４）から第２の端部（５）まで可変的な厚さ（Ｄ１、Ｄ２、Ｄｘ、Ｄｙ、Ｄｚ）を有する、請求項１〜３の何れか１項に記載の角膜実質内挿入物。
【請求項５】
前記厚さ（Ｄ１、Ｄ２、Ｄｘ、Ｄｙ、Ｄｚ）が、前記第１の端部（４）から前記第２の端部（５）まで線形な態様又は概ね線形な態様で漸次的に変化する、請求項４に記載の角膜実質内挿入物。
【請求項６】
円弧形状を有する前記要素（２）は、第１の端部（４）において第１の厚さ（Ｄ１）を有し、第２の端部（５）において（Ｄ１）未満の第２の厚さ（Ｄ２）を有する、請求項１〜５の何れか１項に記載の角膜実質内挿入物。
【請求項７】
円弧形状を有する前記要素（２）は、概ねその中間部において第１の厚さ（Ｄ１）を有し、前記第１の端部（４）及び第２の端部（５）において（Ｄ１）未満の第２の厚さ（Ｄ２）を有する、請求項４に記載の角膜実質内挿入物。
【請求項８】
前記第１の貫通孔（３’）及び前記第２の貫通孔（３”）が、互いから等しく間隔を隔てられている、請求項１〜７の何れか１項に記載の角膜実質内挿入物。
【請求項９】
前記貫通孔（３’、３”）は、より大きな厚さ（Ｄ１、Ｄ２、Ｄｘ、Ｄｙ、Ｄｚ）を有する円弧形状を有する前記要素（２）の領域に、又はより小さな厚さ（Ｄ１、Ｄ２、Ｄｘ、Ｄｙ、Ｄｚ）を有する円弧形状を有する前記要素（２）の領域に、より密集して分布する、請求項４〜７の何れか１項に記載の角膜実質挿入物。
【請求項１０】
前記貫通孔（３’、３”）が０．１ｍｍ〜０．３ｍｍの直径を有する、請求項１〜９の何れか１項に記載の角膜実質内挿入物。
【請求項１１】
円弧形状を有する前記要素（２）は、前記第１の端部（４）及び前記第２の端部（５）の少なくとも一方において予見される少なくとも１つの端部開口（６）を備えており、前記端部開口が、前記角膜実質内挿入物を挿入するよう操作するためのツールに適している、請求項１〜１０の何れか１項に記載の角膜実質内挿入物。
【請求項１２】
円弧形状を有する前記要素（２）は、楕円形、円形、三角形、四角形、六角形、準台形等から選択される形状の断面を有する、請求項１〜１１の何れか１項に記載の角膜実質内挿入物。
【請求項１３】
前記不活性又は生体適合性ポリマ材料がポリメタクリル酸メチルを含む、請求項１〜１２の何れか１項に記載の角膜実質内挿入物。
【請求項１４】
前記所定の角度伸長が９０°である、請求項１〜１３の何れか１項に記載の角膜実質内挿入物。
【発明の詳細な説明】
【技術分野】
【０００１】
本発明は、角膜実質内挿入物に関する。より具体的には、本発明は、視覚障害、例えば円錐角膜、近視、乱視その他を矯正するための角膜実質内挿入物に関する。
【背景技術】
【０００２】
屈折眼科手術の分野、すなわち網膜における結像障害に起因した屈折異常、例えば円錐角膜、近視その他の異常を矯正することを目的とした分野では、例えばレーザ技術で適切に行われる放射状切開創を通じて角膜層間の実質周辺に挿入される、円弧形状に概ね形成された挿入物を使用することが公知である。
【０００３】
かかる挿入物は通常、非常に薄く透明であり、不活性又は生体適合性ポリマ材料、例えばポリメタクリル酸メチル（ＰＭＭＡ）などの材料から形成される。
【０００４】
一旦それら挿入物を挿入すると、前述の挿入物が角膜自体に対して概ね同心に位置決めされる。例えば、円錐角膜を矯正するために移植を行う場合、角膜組織内の挿入物の存在が角膜の周囲に向かう張力を決定し、この張力は、実際に円錐角膜が存在する角膜の中央領域を平坦化する方向へ寄与し、それにより如何なる場合も角膜の明確な非球面性が維持されるようになる。
【０００５】
この施術は通常、患者が概ね良く見ることができるように、中央角膜領域を正常に近づける。
【０００６】
時間が経てば、かかる挿入物を取り外すことができるとともに、例えばより強い矯正効果を得るように異なる寸法を有する他の挿入物に置き換えることができる。
【０００７】
しかしながら、実際には、前述の挿入物を角膜層間に移植することにより、挿入物自体の各々の表面に直接隣接した角膜の組織領域において、湿潤（irroration）の不足又は有機流体の停滞の現象を引き起こし、並びに最も危機的な状況では、小さな領域に及ぶに過ぎないとしても、低酸素又は壊死につながりうる、酸素供給不足を主に引き起こすことが分かった。
【０００８】
これら欠点は、時間の経過とともに、必然的に手術の結果及び患者の視力の質に影響を及ぼす。
【発明の概要】
【発明が解決しようとする課題】
【０００９】
したがって、本発明の技術的課題は当該技術水準を改善することである。
【００１０】
かかる技術的課題において、本発明の１つの目的は、前述した欠点を回避できるようにした角膜実質内挿入物を発明することである。
【課題を解決するための手段】
【００１１】
かかる課題及びかかる目的は、添付の請求項１に記載の角膜実質内挿入物により全て達成される。
【００１２】
本発明による角膜実質内挿入物は、視覚障害を矯正するために角膜の実質内に移植されるよう意図されていて、不活性又は生体適合性ポリマ材料から形成されるとともに、３６０°未満の所定の角度伸長を伴う円弧形状を有する要素を備えており、円弧形状を有する要素が、円弧形状を有する要素によって規定される面に対して垂直又は概ね垂直な各軸を有していて、有機流体を通過させるのに適した第１の貫通孔と、円弧形状を有する要素によって規定される面に対して平行又は概ね平行な各軸を有していて、有機流体を通過させるのに適した第２の貫通孔と、を備えており、第１の貫通孔が第２の貫通孔に対して交互に配置されるとともに第２の貫通孔から互いに等しく間隔を隔てられているか、第１の貫通孔が第２の貫通孔に連通しているか、又は第１の貫通孔が第２の貫通孔に対して交互に配置されていて第２の貫通孔から互いに等しく間隔を隔てられているとともに、第１の貫通孔が第２の貫通孔に連通している。
【００１３】
従属形式の請求項は、本発明の有利な実施形態を参照する。
【図面の簡単な説明】
【００１４】
【図１】本発明に係る挿入物の平面図である。
【図２】図１の面ＩＩ−ＩＩによって形成される挿入物の断面図である。
【図３】図１の面ＩＩＩ−ＩＩＩによって形成される挿入物の断面図である。
【図４】図１の面ＩＶ−ＩＶによって形成される挿入物の断面図である。
【図５】図１の面Ｖ−Ｖによって形成される挿入物の断面図である。
【図６】図１の面ＶＩ−ＶＩによって形成される挿入物の断面図である。
【図２Ａ】本発明の別の実施形態に係る挿入物の断面図である。
【図３Ａ】本発明の別の実施形態に係る挿入物の断面図である。
【図４Ａ】本発明の別の実施形態に係る挿入物の断面図である。
【図２Ｂ】本発明の更に別の実施形態に係る挿入物の断面図である。
【図３Ｂ】本発明の更に別の実施形態に係る挿入物の断面図である。
【図４Ｂ】本発明の更に別の実施形態に係る挿入物の断面図である。
【図２Ｃ】本発明の更に別の実施形態に係る挿入物の断面図である。
【図３Ｃ】本発明の更に別の実施形態に係る挿入物の断面図である。
【図４Ｃ】本発明の更に別の実施形態に係る挿入物の断面図である。
【図２Ｄ】本発明の更なる実施形態に係る挿入物の断面図である。
【図３Ｄ】本発明の更なる実施形態に係る挿入物の断面図である。
【図４Ｄ】本発明の更なる実施形態に係る挿入物の断面図である。
【図７】本発明の更なる実施形態に係る挿入物の平面図である。
【図８】図７の面ＶＩＩＩ−ＶＩＩＩによって形成される挿入物の断面図である。
【図９】図７の面ＩＸ−ＩＸによって形成される挿入物の断面図である。
【図１０】図７の面Ｘ−Ｘによって形成される挿入物の断面図である。
【図１１】本発明の更なる実施形態に係る挿入物の平面図である。
【図１２】図１１の面ＸＩＩ−ＸＩＩによって形成される挿入物の断面図である。
【図１３】本発明の更なる実施形態に係る挿入物の平面図である。
【図１４】図１３の面ＸＩＶ−ＸＩＶによって形成される挿入物の断面図である。
【発明を実施するための形態】
【００１５】
これら利点及び更なる利点は、例示されていて限定する目的ではない次の記載及び添付図面から当業者により明確になるであろう。
【００１６】
図１を参照すると、参照符号１は全体として本発明による角膜実質内挿入物を示す。本発明による挿入物１は、視覚障害、例えば円錐角膜、近視、乱視その他を矯正する屈折矯正手術での使用に特に適する。
【００１７】
かかる治療での使用の示唆は、如何なる場合も完全に例示のためになされていて限定する目的ではなく、むしろ本発明による挿入物１を他の種類の治療のためにも使用できるであろう。
【００１８】
挿入物１は、円弧形状を有する要素２を備える。円弧形状を有する要素２は、所定の角度伸長Ａを有する。
【００１９】
角度伸長Ａは３６０°未満であることが好ましい。図１に示される実施形態では、角度伸長Ａが例えば９０°である。
【００２０】
かかる角度伸長Ａは、この理由のために本発明を限定することなく、特定の用途に適した他の任意の値を有してもよく、９０°を超える場合さえありうる。
【００２１】
円弧形状を有する要素２は、不活性又は生体適合性ポリマ材料から形成される。例えば、かかる不活性又は生体適合性ポリマ材料は、ポリメタクリル酸メチル（ＰＭＭＡ）又はさらに類似した特性を有する別のポリマ材料を含有しうるか又はそれらから構成されうる。
【００２２】
円弧形状を有する要素２はさらに、異なる不活性又は生体適合性ポリマ材料の混合物から形成されうる。円弧形状を有する要素２は、透明又は概ね透明、すなわち光に対して透過性を有する。
【００２３】
円弧形状を有する要素２は、如何なる場合も本発明の対象でないとともに故に詳細に記載されない公知の外科手技に従って、前述したように、視覚障害を矯正するために角膜層間の実質周辺に移植されるよう意図されている。
【００２４】
本発明の一態様によれば、円弧形状を有する要素２は、少なくとも１つの貫通孔３’、３”を備える。
【００２５】
少なくとも１つの貫通孔３’、３”は、円弧形状を有する要素２の中央部分において概ね予見される。
【００２６】
円弧形状を有する要素２は、互いに反対側の第１の端部４及び第２の端部５を備える。中央部分は、位置決め用の端部開口の間に含まれる要素２の領域を概ね意味し、それら端部開口は、残りの記載においてより一層詳細に記載されるように、円弧形状を有する要素２の反対側の端部４、５に配置される。
【００２７】
少なくとも１つの貫通孔３’、３”は、有利なことに、残りの記載においてより一層詳細に記載されるように、液体又は気体の形態を有する有機流体が、円弧形状を有する要素２の一方の側から他方の側、例えば頂部側から底部側及びその逆方向だけでなく、内側から外側及びその逆方向へも自由に通過できるよう適している。
【００２８】
図１の実施形態では、挿入物１の円弧形状を有する要素２は、より詳細には、複数の貫通孔３’、３”を備える。
【００２９】
例えば、図１の実施形態では、円弧形状を有する要素２が６つの貫通孔３’、３”を備える。
【００３０】
しかしながら、その用途の特定の要件に関して特別な制限なしに、円弧形状を有する要素２に沿って予見される任意の数の貫通孔３'、３''が存在しうる。
【００３１】
貫通孔３’、３”は、円弧形状を有する要素２に沿って互いに等しい角度で間隙を隔てられること、すなわち要素２自体に沿って均一に分布していることが好ましい。
【００３２】
しかしながら、本発明の幾つかの実施形態では、貫通孔３’、３”は、より多くの流体を通過させるという特定の要件のため、例えば円弧形状の要素２の所定領域において、さらに密集して分布するように、互いに対して異なる距離に位置決めされうる。
【００３３】
図１の実施形態では、貫通孔３’、３”が円形断面を有する。他の実施形態では、特定の要件に関して、貫通孔３’、３”が円形断面とは異なる断面を有していてもよい。
【００３４】
図１〜図６に表される実施形態では、本発明の一態様に従って、円弧形状を有する要素２が第１の貫通孔３’を備える。
【００３５】
第１の貫通孔３’は、円弧形状を有する要素２によって規定される平面に対して垂直又はさらに概ね垂直な各軸を有する。
【００３６】
本発明の別の態様によれば、円弧形状を有する要素２が第２の貫通孔３”を備える。第２の貫通孔３”は、円弧形状を有する要素２によって規定される平面に対して平行又はさらに実質的に平行な各軸を有する。
【００３７】
本発明の更に別の態様によれば、要素２の面に対して垂直な軸を有する第１の貫通孔３’は、分布を良好にするため及び有機流体の循環を良好にするため、要素２の面に対して平行な軸を有する第２の貫通孔３”と交互に配置される。
【００３８】
この解決手段のおかげで、有機流体は、円弧形状を有する要素２を介して、互いに対して概ね垂直な２つの方向に従って、円弧形状を有する要素２の伸長全体に沿って通過できるようになり、角膜組織の内部における有機流体の循環を極めて効果的にする。
【００３９】
本発明の他の実施形態では、第１の貫通孔３’及び第２の貫通孔３”が対を為して交互に配置されてもよいし、又は第２の貫通孔３”の対と交互に第１の貫通孔３’の対が設けられてもよい。
【００４０】
図２、図３及び図４は、図１に示される面ＩＩ−ＩＩ、面ＩＩＩ−ＩＩＩ及び面ＩＶ−ＩＶによってそれぞれ形成される挿入物１の断面図を示す。
【００４１】
さらに、図５及び図６は、図１の面Ｖ−Ｖ及び面ＶＩ−ＶＩによってそれぞれ形成される挿入物１の断面を示す。
【００４２】
図１〜図６の実施形態では、挿入物１の断面が楕円である。しかしながら、挿入物１の断面は、異なる用途の要件に関して、任意の形状としうる。
【００４３】
例えば、図２Ａ、図３Ａ及び図４Ａは、円形断面を有する本発明に係る挿入物１の別の実施形態を参照する。
【００４４】
図２Ｂ、図３Ｂ及び図４Ｂは、不等辺又はさらに二等辺の三角形断面を有している、本発明による挿入物１の別の実施形態を示す。
【００４５】
図２Ｃ、図３Ｃ及び図４Ｄは、六角形断面を有している、本発明に係る挿入物１の別の実施形態を示す。
【００４６】
図２Ｄ、図３Ｄ及び図４Ｄは、矩形断面を有している、本発明に係る挿入物１の別の実施形態を参照する。
【００４７】
他の実施形態では、挿入物１の断面が準台形（semi-trapezoidal）としうる。
【００４８】
円弧形状を有する要素２の第１及び第２の貫通孔３’、３”は、排他的ではないものの、０．１ｍｍ〜０．３ｍｍを含む直径を有することが好ましい。第１の貫通孔３’及び第２の貫通孔３”は、同じ直径又は互いに異なる直径を有しうる。
【００４９】
限定しない実施例として、図１〜図６による本発明の実施形態だけでなく、例えば、図２Ａ、図３Ａ、図４Ａ、図２Ｂ、図３Ｂ、図４Ｂ、図２Ｃ、図３Ｃ、図４Ｃ、図２Ｄ、図３Ｄ及び図４Ｄの実施形態においても、円弧形状を有する要素２が２．８０ｍｍの内側半径Ｂ、及び３．２０ｍｍの外側半径Ｃを有する。
【００５０】
概して、円弧形状を有する要素２の内側半径Ｂの寸法及び外側半形Ｃの寸法は、本発明を限定することなく、任意としうる。
【００５１】
本発明の更なる態様によれば、円弧形状を有する要素２は、第１の端部４から第２の端部５へわたり可変的な厚さを有する。
【００５２】
例えば、円弧形状の要素２は、特に図５及び図６に示すように、第１の端部４において第１の厚さＤ１を有し、第２の端部５において、例えば第１の厚さＤ１よりも小さい、第２の厚さＤ２を有しうる。
【００５３】
円弧形状を有する要素２は、第１の厚さＤ１から第２の厚さＤ２へわたり線形的な態様又は概ね線形的な態様としうる。
【００５４】
特に、図２、図３及び図４は、円弧形状の要素２の各断面の異なる厚さＤｘ、Ｄｙ、Ｄｚを示しており、それら厚さは、例えばＤ１がＤ２より大きい場合に増加しうるか、又はＤ１がＤ２より小さい場合に減少しうる。
【００５５】
代替案として、他の実施形態では、円弧形状を有する要素２は、特定用途の要件に関して、第１の厚さＤ１から第２の厚さＤ２にかけて非線形的な連続性を有しうる。
【００５６】
この特性により、実質周辺の異なる領域で異なる張力を得ることができ、このことは結果的に矯正目的のために実質自体において程度の異なる変形をもたらす。特に、実質の張力及び変形は、より厚い第１の厚さＤ１における領域では、より大きい。
【００５７】
したがって、得ようとする矯正効果に基づいて、外科医は、必要な領域では所望の張力を生成するように挿入物１を角膜層間に位置決めできる。例えば、外科医は、より強い角膜の変形を必要とする場所では、より大きい厚さＤ１を有する第１の端部４を確実に位置決めするであろう。
【００５８】
他方、伸長全体について一定の厚さを有する従来タイプの挿入物では、移植体の下流側において角膜の平坦化が発生し、平坦化の程度はそのセグメントの全長について一定である。
【００５９】
この特徴は通常、角膜における改善及び正常な変化に導く。しかしながら、病態によって影響を受ける角膜領域は、共に非常に近接した領域であっても、異なる厚さ及び曲率を有することが多い。
【００６０】
他方、本発明による挿入物１に予見される厚さＤの連続性により、異なる曲率及び異なる厚さに基づいて各角膜領域を正常化できる。
【００６１】
さらに、異なる厚さを有する挿入物１の領域に予見される貫通孔３’、３”の存在により、病態が異なる厚さ及び曲率をもたらした角膜の領域において、たとえそれらが互いに非常に近接していたとしても、有機流体の必要な供給を保証できるとともに、さらに最適な酸素供給を結果として生じることが分かった。
【００６２】
本発明の幾つかの実施形態では、より小さい厚さを伴う円弧形状を有する要素２の領域において又はより大きい厚さを伴う円弧形状を有する要素２の領域において、かかる領域で組織の酸素供給を保証するように、密接度（condensation）がより大きい貫通孔３’、３”が存在することを予見できるであろう。
【００６３】
簡潔に言えば、同じ挿入物１の内部における異なる厚さの存在により、互いに非常に近接する角膜の領域に存在しうる違いを考慮して、個々人に適した手術を行える。
【００６４】
純粋な例として、幾つかの実施形態では、第１の厚さＤ１が０．５ｍｍとしうる一方、第２の厚さＤ２が０．４ｍｍとしうることに留意されたい。
【００６５】
他の実施形態では、第１の厚さＤ１が０．５ｍｍとしうる一方、第２の厚さＤ２が０．３ｍｍとしうる。
【００６６】
他の実施形態では、第１の厚さＤ１が０．４ｍｍとしうる一方、第２の厚さＤ２が０．３ｍｍとしうる。
【００６７】
更に他の実施形態では、第１の厚さＤ１が０．４ｍｍとしうる一方、第２の厚さＤ２が０．２ｍｍとしうる。
【００６８】
更に他の実施形態では、第１の厚さＤ１が０．３ｍｍとしうる一方、第２の厚さＤ２が０．２ｍｍとしうる。
【００６９】
図面に表されない本発明の他の実施形態では、最大値を有する第１の厚さＤ１が円弧形状を有する要素２の概ね中間部において存在しうる。
【００７０】
他方、最小値を有する第２の厚さＤ２は、円弧形状を有する要素２の第１の端部４及び第２の端部５において存在しうる。
【００７１】
円弧形状を有する要素の端部４、５は、角膜の実質の中への移植を容易にするように丸められることが好ましい。
【００７２】
挿入物１の円弧形状を有する要素２はさらに、挿入される挿入物１を操作するためのツールに適した少なくとも１つの端部開口６を備える。
【００７３】
述べたように、かかる端部開口６は、円弧形状を有する要素の端部４、５のうちの一方に予見される。
【００７４】
好適には、円弧形状を有する要素２は、円弧形状を有する要素２の各端部４、５においてそれぞれ予見される２つの端部開口６を備える。
【００７５】
２つの端部開口６の存在により、外科医は、円弧形状を有する要素２の端部４、５のどちらからも挿入物１を把持できる。
【００７６】
端部開口６は例えば貫通開口であり、それら貫通開口は円形断面を有し、例えば０．２５ｍｍの直径を有する。
【００７７】
端部開口６はさらに、何ら限定されることなく、異なる形状を有する断面を有してもよいし、又は異なる寸法を有してもよい。また、端部開口６はさらに、貫通開口でなくてもよい。
【００７８】
本発明の幾つかの実施形態では、端部開口６が無くてもよい。かかる端部開口６が存在する場合には、円弧形状を有する要素２の中央部分が、前述の端部開口６の間に含まれる部分を意味する。
【００７９】
そうして着想された本発明により、重要な技術的利点を得ることができる。実際に、第１及び第２の貫通孔３’、３”により、有機流体は、液体又は気体の状態で、頂部側から底部側及びその逆、並びに内側から外側及びその逆の双方へ、円弧形状を有する要素２の全長に沿って概ね自由に通過できる。
【００８０】
特に、このことは、前述の有機流体が例えば１つの角膜層から別の角膜層へ自由に通過でき、そうして後者の領域が顕著なサイズであっても、低酸素の問題或いは流体自体の循環不良に関する他の類似した問題に悩まされるのを防止することを意味する。
【００８１】
言い換えれば、流体はさらに、角膜層が位置する仮想表面に対して概ね平行な方向に従って通過できる。
【００８２】
また、互いに垂直な２方向に従う貫通孔３’、３”の存在は、挿入物１をより柔軟にするとともに操作し易くしていて、患者の角膜内に移植されるときに有利になる。
【００８３】
互いに垂直な方向に従って交互に、円弧形状を有する要素２に沿って等距離に分布する第１及び第２の貫通孔３’、３”は、挿入物１によって分離される角膜層間の気体、流体及び栄養を交換する代謝手段を構成するので、完全に革新的な機能を有する。
【００８４】
このことは、正常な角膜代謝を促進し、手術の失敗の原因になることが最も多い細胞組織の死（角膜融解）を引き起こしうる角膜低酸素症の領域が形成されるのを防止する。
【００８５】
かかる事象が生じると、挿入物１を取り外されなければならない。そうして角膜組織の正常な栄養が存在することを保証し、低酸素症を回避する。
【００８６】
マイクロメータで測定される角膜曲率を正常化する、円弧形状を有する要素２の識別化された厚さと共に、より長い角膜寿命が保証され、酸素供給の欠如に続いて角膜自体が内皮細胞を失う場合に角膜移植の推定要件を回避する。
【００８７】
本発明による挿入物１の別の実施形態が図７〜図１０に示される。この実施形態は、円弧形状を有する要素２がさらに、特に図１０に示すように、第２の貫通孔３”に連通する第１の貫通孔３’を備えるという事実のため、図１〜図６に係る前述の実施形態とは異なる。
【００８８】
言い換えれば、更なる第１の貫通孔３’が第２の貫通孔３”を遮っている（intercept）。これにより、円弧形状の要素２の幾つかの特定領域、例えば互いに等しい角度で間隔を隔てられた領域では、要素２の頂部側から底部側及びその逆、並びに要素２の内側から外側及びその逆の双方へ有機流体自体の自由な通過を得ることができる。
【００８９】
かかる解決手段により、円弧形状を有する要素２の幾つかの特定領域及び多数の方向において、有機流体に対する挿入物１の透過性を大幅に高めることができる。
【００９０】
円弧形状を有する要素２の断面は、前述の実施形態について述べた任意の形状、又は他の形状を有しうる。
【００９１】
円弧形状を有する要素２の厚さは、前述の実施形態について記載したように、第１の端部４から第２の端部５へ変化しうる。
【００９２】
本発明による挿入物１の別の実施形態が図１１及び図１２に示されている。この実施形態は、第２の貫通孔３”が円弧形状を有する要素２の中間部においてのみ予見される一方、前述した中間線に隣接する２つの最も周辺の領域には、第１の貫通孔３’のみが予見されるという事実のために前述のものとは異なる。
【００９３】
第２の貫通孔３”は例えば個数で２つある。また、第２の貫通孔３”を遮るか、又はむしろ第２の貫通孔に連通する第１の貫通孔３’がさらに設けられることが予見される。
【００９４】
この解決手段により、その現象を良好に制御するために、要素２の１つの優先領域のみにおいて又はむしろ中間領域のみにおいて、要素２の頂部側から底部側及びその逆並びに要素２自体の内側から外側及びその逆の双方へ同じ有機流体の自由な通過を得ることができる。
【００９５】
また、この実施形態では、円弧形状を有する要素２は、図１〜図６の実施形態に関して既に述べた特性に従って、可変的な厚さを有する。
【００９６】
また、円弧形状を有する要素２の断面はさらに、例えば楕円形或いはまた図２Ａ〜図２Ｄ、図３Ａ〜図３Ｄ及び図４Ａ〜図４Ｄで示されたものに従う任意の形状としうる。
【００９７】
本発明の別の実施形態が図１３〜図１４に示される。この実施形態では、円弧形状を有する要素２が、全て互いに連通する第１の貫通孔３’及び第２の貫通孔３”を備える。
【００９８】
言い換えれば、それぞれの第１の貫通孔３’は、特に図１４に示すように、それぞれ第２の貫通孔３”によって遮られる。
【００９９】
この実施形態によれば、円弧形状を有する要素２の伸長全体に沿って、要素２の頂部側から底部側及びその逆、並びに要素２自体の内側から外側及びその逆の双方へ有機流体自体の自由な通過を得ることができる。
【０１００】
円弧形状を有する要素２の断面は、前述の実施形態について述べた任意の形状、又は他の形状を有しうる。
【０１０１】
円弧形状を有する要素の厚さは、前述の実施形態について記載するように、第１の端部４から第２の端部５へ変化しうる。
【０１０２】
この解決手段により勿論、より効果的な態様で前述した利点を全て達成するように、挿入物１を通じた有機流体の循環を最大化するとともに最適化できる。
【０１０３】
また、挿入物１の柔軟性及び操作し易さが最大化される。そうしてどのように本発明が提案された目的を達成するかが理解される。
【０１０４】
本発明は好適な実施形態に従って記載されているが、均等な変形を、この理由のために次の特許請求の範囲によって提供される保護の範囲から逸脱することなく、着想しうる。
【図１】
2016523677.tif 000003
【図２】
2016523677.tif 000004
【図２Ａ】
2016523677.tif 000005
【図２Ｂ】
2016523677.tif 000006
【図２Ｃ】
2016523677.tif 000007
【図２Ｄ】
2016523677.tif 000008
【図３】
2016523677.tif 000009
【図３Ａ】
2016523677.tif 000010
【図３Ｂ】
2016523677.tif 000011
【図３Ｃ】
2016523677.tif 000012
【図３Ｄ】
2016523677.tif 000013
【図４】
2016523677.tif 000014
【図４Ａ】
2016523677.tif 000015
【図４Ｂ】
2016523677.tif 000016
【図４Ｃ】
2016523677.tif 000017
【図４Ｄ】
2016523677.tif 000018
【図５】
2016523677.tif 000019
【図６】
2016523677.tif 000020
【図７】
2016523677.tif 000021
【図８】
2016523677.tif 000022
【図９】
2016523677.tif 000023
【図１０】
2016523677.tif 000024
【図１１】
2016523677.tif 000025
【図１２】
2016523677.tif 000026
【図１３】
2016523677.tif 000027
【図１４】
2016523677.tif 000028
【国際調査報告】
2016523677.tif 000029
2016523677.tif 000030
2016523677.tif 000031